(57)【要約】【課題】ベルト体を引き出して使用するときには、ベルト体のベルト幅を広げ、ベルト体を巻き取るときには、ベルト体を幅狭の状態で良好に巻き取ることができるシートベルト装置を提供する。【解決手段】一端部が巻取装置に引出し可能に巻き取られ、他端部がアンカに固定されるベルト体５０は、帯状体５１と、ファスナ６０とを備える。ベルト体５０の引出し経路上には、ベルト体５０を引出し及び巻取り案内する挿通孔１４を有するベルト案内部材１１が配設される。ベルト案内部材１１には、ファスナ６０を開閉するスライダ６３が装着される。ベルト案内部材１１を通過して引き出されたベルト体５０は、スライダ６３によってファスナ６０が開かれることで幅広に展開される。ベルト案内部材１１を通過して巻き取られたベルト体５０は、スライダ６３によってファスナ６０が閉じられることで幅狭のチューブ状をなす。【選択図】図２
2015155282.tif 000002
【特許請求の範囲】
【請求項１】
乗物用シートのシートベルト装置であって、
一端部が巻取装置に引出し可能に巻き取られ、他端部がアンカに固定されるベルト体は、長尺で幅広の帯状体と、この帯状体の幅方向両縁部の長手方向に沿って配設されたファスナとを備え、
前記ベルト体の引出し経路上には、前記ベルト体を引出し及び巻取り案内する挿通孔を有するベルト案内部材が配設され、
前記ベルト案内部材には、前記ファスナを開閉するスライダが装着され、
前記ベルト案内部材を通過して引き出されたベルト体は、前記スライダによって前記ファスナが開かれることで幅広に展開され、
前記ベルト案内部材を通過して巻き取られたベルト体は、前記スライダによって前記ファスナが閉じられることで幅狭のチューブ状をなすことを特徴とするシートベルト装置。
【請求項２】
請求項１に記載のシートベルト装置であって、
スライダは、ベルト体のベルト幅方向へ首振り回動可能にベルト案内部材に装着されていることを特徴とするシートベルト装置。
【請求項３】
請求項１又は２に記載のシートベルト装置であって、
ベルト案内部材の挿通孔の両側壁には、ベルト体の巻取側開口部から引出側開口部に向けてしだいに孔幅が大きくなるように湾曲または傾斜した案内面が形成されていることを特徴とするシートベルト装置。
【発明の詳細な説明】
【技術分野】
【０００１】
この発明は乗物用シートのシートベルト装置に関する。
【背景技術】
【０００２】
乗物用シートに着座している着座者を保護するためのシートベルト装置において、ベルト幅を広げて衝撃を緩和するように構成したものが知られている（例えば、特許文献１参照）。
特許文献１に開示されたシートベルト装置においては、着座者の肩部後方位置に配設されるガイド部材によってシートベルトが巻取装置装置に向けて案内される。
ガイド部材は、そのシートベルトを案内するガイド面が当該シートベルトの幅方向両側を湾曲させて折り返すことのできる断面Ｃ字形状の湾曲案内部が対向して配置された形態として構成されており、該湾曲案内部の幅方向の配置間隔はシートベルトを収納装置に収納する方向に向けて漸次幅狭とされている。
【先行技術文献】
【特許文献】
【０００３】
【特許文献１】特開２０１２−２４０４３２号公報
【発明の概要】
【発明が解決しようとする課題】
【０００４】
ところで、特許文献１に開示されたシートベルト装置においては、シートベルトの巻き取り時には、ガイド部材の断面Ｃ字形状の湾曲案内部に案内されてシートベルトが幅狭となる。また、シートベルトの巻き取り時には、シートベルトがガイド部材を通過して引き出されることでシートベルト自体の復元力によって幅広となる。
このため、ガイド部材に案内されてシートベルトが幅狭となった後、ガイド部材と収納装置（巻取装置）との間の距離が長く設定されていると、ガイド部材と収納装置との間において、シートベルト自体の復元力によって幅広となることが想定される。この場合、シートベルトが幅広状態で巻取られようとし、巻き取り不良が発生する恐れがある。
【０００５】
この発明の目的は、前記問題点に鑑み、ベルト体を引き出して使用するときには、ベルト体のベルト幅を広げ、ベルト体を巻き取るときには、ベルト体を幅狭の状態で良好に巻き取ることができるシートベルト装置を提供することである。
【課題を解決するための手段】
【０００６】
前記課題を解決するために、この発明の第１の発明に係るシートベルト装置は、乗物用シートのシートベルト装置であって、
一端部が巻取装置に引出し可能に巻き取られ、他端部がアンカに固定されるベルト体は、長尺で幅広の帯状体と、この帯状体の幅方向両縁部の長手方向に沿って配設されたファスナとを備え、
前記ベルト体の引出し経路上には、前記ベルト体を引出し及び巻取り案内する挿通孔を有するベルト案内部材が配設され、
前記ベルト案内部材には、前記ファスナを開閉するスライダが装着され、
前記ベルト案内部材を通過して引き出されたベルト体は、前記スライダによって前記ファスナが開かれることで幅広に展開され、
前記ベルト案内部材を通過して巻き取られたベルト体は、前記スライダによって前記ファスナが閉じられることで幅狭のチューブ状をなすことを特徴とする。
【０００７】
第１の発明によると、ベルト体を引き出して使用する場合、ベルト体がベルト案内部材を通過して引き出されると、スライダによってファスナが開かれる。そして、ベルト案内部材を通過して引き出されたベルト体は、自身の復元力によって幅広に展開される。
このため、乗物用シートに着座している着座者は、幅広に展開されたベルト体によって保護される。
ベルト体を巻き取って格納する場合、ベルト体がベルト案内部材を通過して巻き取られると、スライダによってファスナが閉じられ、幅狭のチューブ状をなすため、ベルト体を巻き取り不良なく良好に巻き取ることができる。
【０００８】
この発明の第２の発明に係るシートベルト装置は、第１の発明のシートベルト装置であって、
スライダは、ベルト体のベルト幅方向へ首振り回動可能にベルト案内部材に装着されていることを特徴とする。
【０００９】
第２の発明によると、例えば、着座者によるベルト体の引出方向が、ベルト案内部材の挿通孔に対し、斜めとなって引き出された場合、スライダは、ベルト体の斜めの引き出しに追従してベルト幅方向へ首振り回動する。このため、ファスナに対し、スライダが正常な状態に保たれ、ファスナが円滑に開かれる。
【００１０】
この発明の第３の発明に係るシートベルト装置は、第１の発明又は第２の発明のシートベルト装置であって、
ベルト案内部材の挿通孔の両側壁には、ベルト体の巻取側開口部から引出側開口部に向けてしだいに孔幅が大きくなるように湾曲または傾斜した案内面が形成されていることを特徴とする。
【００１１】
第３の発明によると、着座者によるベルト体の引出方向が、ベルト案内部材の挿通孔に対し、斜めとなって引き出された場合、ベルト体の一側縁が、ベルト案内部材の挿通孔の一側壁の案内面に沿って引き出し案内される。このため、ベルト体の一側縁が挿通孔の一側壁に当たって変形することを抑制することができ、ベルト体が円滑に引き出される。
【図面の簡単な説明】
【００１２】
【図１】この発明の実施例１に係るシートベルト装置と乗物用シートとの配設状態を簡略して示す斜視図である。
【図２】ベルト案内部材のスライダとベルト体との関係を示す斜視図である。
【図３】ベルト案内部材を示す斜視図である。
【図４】ベルト案内部材と、ファスナと、スライダとの関係を示す正断面図である。
【図５】ベルト体が斜めに引き出されたときにベルト体に追従してスライダがベルト幅方向へ首振り回動した状態を示す説明図である。
【図６】ファスナが開かれベルト体が幅広に展開された状態を示す横断面図である。
【図７】ファスナが閉じられベルト体が幅狭のチューブ状をなした状態を示す横断面図である。
【図８】スライダの保持体にファスナを開閉案内する案内片が形成された実施態様を示す斜視図である。
【図９】スライダの保持体にファスナを開閉案内する案内片が形成された実施態様を示す側断面図である。
【発明を実施するための形態】
【００１３】
この発明を実施するための形態について実施例にしたがって説明する。
【実施例１】
【００１４】
この発明の実施例１を図面にしたがって説明する。
図１に示すように、シートクッション２とシートバック３とを備えた乗物用シート１に着座する着座者を保護するためのシートベルト装置は、巻取装置１０と、アンカ２０と、ベルト案内部材（スルーアンカ、スリップジョイント等と呼ばれることもある）１１と、タングプレート３０と、バックル４０と、ベルト体５０と、を備えている。
【００１５】
巻取装置１０及びアンカ２０は、乗物用シート１の車外側の側方に位置する車体のピラー部の下部近傍にそれぞれ配設されている。なお、巻取装置１０は乗物用シート１のシートバック３内に配設され、アンカ２０はシートクッション２のサイドフレーム部の車外側に配設されることもある。
また、バックル４０は、シートクッション２のクッションフレームのサイドフレーム部の車内側に配設されている。
【００１６】
ベルト案内部材１１は、ベルト体５０の引出し経路上に装着されるものであり、車体のピラー部の上部近傍、又はシートバック３の肩部上面近傍に配設される。
この実施例１において、図２〜図４に示すように、ベルト案内部材１１は、その上部に形成された取付部１２の取付孔１３に段付きボルト等よりなる取付軸（図示しない）が挿通され、この取付軸が車体のピラー部の上部近傍にねじ込まれることで、取付軸を中心として回動可能に装着されている。
ベルト案内部材１１の下部には、ベルト体５０が挿通案内される横長四角形状の挿通孔１４が形成されている。
また、ベルト案内部材１１の挿通孔１４の上壁部をなす部分には、凹部１６が形成され、この凹部１６には、後述する可動体７０が横軸体７１を中心として上下方向へ回動可能に装着される。
また、図３〜図５に示すように、ベルト案内部材１１の挿通孔１４の両側壁部には、ベルト体５０の巻取側開口部から引出側開口部に向けてしだいに孔幅が大きくなるように湾曲または傾斜した案内面１５がそれぞれ形成されている。
【００１７】
図１に示すように、ベルト体５０は、その一端部が巻取装置１０に引出し可能に巻き取られる。
ベルト体５０は、ベルト案内部材１１の挿通孔１４を通し、その他端部がアンカ２０に固定されている。
また、タングプレート３０は、その挿通孔３１においてベルト体５０に移動可能に挿通されている。
【００１８】
図５〜図７に示すように、ベルト体５０は、長尺で幅広の帯状体５１と、この幅広の帯状体５１の幅方向両縁部の長手方向に沿って配設されたファスナ６０とを備えている。
この実施例１において、シートベルト装置の使用状態において、ベルト体５０の着座者の胸部及びその近傍を支承する部分に対し、ファスナ６０の一対のテープ６１がミシン縫い等によって縫い合わされて配設され、その他の部分においては、幅広の帯状体５１の幅方向両縁部がミシン縫い等によって縫い合わされてチューブ状をなしている。なお、一対のテープ６１には相互に噛み合うエレメント６２がそれぞれ配設されている。
【００１９】
図２〜図４に示すように、ベルト案内部材１１には、ファスナ６０の両エレメント６２を噛み合わせたり、あるいは解放してファスナ６０を開閉するスライダ６３が、挿通孔１４の上部に臨みかつ可動体７０及び保持体７５を介して装着されている。
図４に示すように、可動体７０は、ベルト案内部材１１の凹部１６に嵌込まれ、横軸体７１を中心として上下方向へ回動可能に装着されている。
【００２０】
図３と図４に示すように、可動体７０の下面中央部には、スライダ６３を一体状に保持する縦軸状の保持体７５が、その縦軸線を中心としてベルト幅方向へ首振り回動可能に装着されている。
すなわち、スライダ６３は、胴体部６４と、胴体部６４の上面から突出された柱部６５とを有し、柱部６５が保持体７５と同一中心線上に結合されている。
そして、ベルト案内部材１１の挿通孔３１を通過して引き出されたベルト体５０は、スライダ６３によってファスナ６０が開かれる（両エレメント６２の噛み合わせが解放される）ことで自身の復元力によって幅広に展開される。
また、ベルト案内部材１１の挿通孔３１を通過して巻き取られたベルト体５０は、スライダ６３によってファスナ６０が閉じられる（両エレメント６２が噛み合わされる）ことで幅狭のチューブ状をなすようになっている。
【００２１】
この実施例１に係るシートベルト装置は上述したように構成される。
したがって、ベルト体５０を引き出して使用する場合、ベルト体５０がベルト案内部材１１を通過して引き出されると、スライダ６３によってファスナ６０が開かれる。
そして、図２に示すように、ベルト案内部材１１を通過て引き出されたベルト体５０は、自身の復元力によって幅広に展開される。
このため、乗物用シートに着座している着座者は、幅広に展開されたベルト体５０によって保護される。
【００２２】
ベルト体５０を巻き取って格納する場合、ベルト体５０がベルト案内部材１１を通過して巻き取られると、スライダ６３によってファスナ６０が閉じられ、幅狭のチューブ状をなす。このため、ベルト体５０は、巻取装置１０によって巻き取り不良なく良好に巻き取られる。
また、ベルト体５０は、幅狭のチューブ状をなすため、幅広のベルト体５０の幅寸法に対応して巻取装置１０を大型化する必要もない。
【００２３】
また、この実施例１において、スライダ６３は、ベルト案内部材１１に対し可動体７０及び保持体７５を介して装着され、保持体７５を中心としてベルト幅方向へ首振り回動可能である。
このため、例えば、着座者によるベルト体５０の引出方向が、図５に示すように、ベルト案内部材１１の挿通孔１４に対し、斜めとなって引き出された場合、保持体７５と共にスライダ６３は、保持体７５を中心とし、かつベルト体５０の斜めの引き出しに追従してベルト幅方向へ首振り回動する。このため、ファスナ６０に対しスライダ６３が正常な状態に保たれ、ファスナ６０が円滑に開かれる。
【００２４】
また、この実施例１において、図３〜図５に示すように、ベルト案内部材１１の挿通孔１４の両側壁には、ベルト体５０の巻取側開口部から引出側開口部に向けてしだいに孔幅が大きくなるように湾曲または傾斜した案内面１５が形成されている。
このため、着座者によるベルト体５０の引出方向が、ベルト案内部材１１の挿通孔１４に対し、斜めとなって引き出された場合、ベルト体５０の幅方向一側縁が、ベルト案内部材１１の挿通孔１４の一側壁の案内面１５に沿って引き出し案内される。このため、ベルト体５０の幅方向一側縁が挿通孔１４の一側壁に当たって変形することを抑制することができ、ベルト体５０が円滑に引き出される。
【００２５】
また、この実施例１において、スライダ６３は、ベルト案内部材１１に対し可動体７０の横軸体７１を中心としてベルト面に交差する方向の上下方向へ首振り回動可能である。
このため、例えば、着座者によるベルト体５０の引出しが、ベルト体５０のベルト面に交差する上下方向へ変位して引き出された場合、ベルト案内部材１１に対し可動体７０と共に保持体７５及びスライダ６３が、可動体７０の横軸体７１を中心とし、かつベルト体５０の上下方向の変位に追従して上下方向へも首振り回動する。このため、スライダ６３によってベルト体５０が円滑に開かれる。
【００２６】
なお、この発明は前記実施例１に限定するものではなく、この発明の要旨を逸脱しない範囲内において、種々の形態で実施することができる。
例えば、図８と図９に示すように、ベルト体５０の引出方向前側に位置するスライダ６３の保持体７５に対し、ファスナ６０を開き方向へ案内するための一対の案内体７８が形成されてもよい。
この場合、一対の案内体７８は、その基端部が保持体７５のベルト体５０の引出方向前側に位置する部分に結合され、他端に向けてしだいに対向間隔が拡大されてハの字状に対向すると共に、ファスナ６０の両テープ６１のエレメント６２を開き方向へ案内する案内片７８ａと、これら両案内片７８ａの下端からファスナ６０の両テープ６１の下面を受けるようにして張り出された張出片７８ｂとを一体に有して横断面Ｌ字状をなして対向している。
【符号の説明】
【００２７】
１  乗物用シート
３  シートバック
１０  巻取装置
１１  ベルト案内部材
１４  挿通孔
１５  案内面
２０  アンカ
３０  タングプレート
４０  バックル
５０  ベルト体
６０  ファスナ
６３  スライダ
７０  可動体
７１  横軸体
７５  保持体
【図１】
2015155282.tif 000003
【図２】
2015155282.tif 000004
【図３】
2015155282.tif 000005
【図４】
2015155282.tif 000006
【図５】
2015155282.tif 000007
【図６】
2015155282.tif 000008
【図７】
2015155282.tif 000009
【図８】
2015155282.tif 000010
【図９】
2015155282.tif 000011